(57)【要約】【課題】広角でありながら、Ｆナンバーが小さく、収差の距離変動が小さい結像レンズ、この結像レンズを備えた投写型表示装置、およびこの結像レンズを備えた撮像装置を提供する。【解決手段】拡大側から順に、拡大側結像面と共役な位置に中間像を形成する第１結像光学系Ｇ１と、中間像を縮小側結像面に再結像させる第２結像光学系Ｇ２とからなり、第１結像光学系Ｇ１は、最も拡大側から順に、少なくとも４枚の連続した負レンズと、拡大側から順に正レンズ、負レンズ、および正レンズからなる第１サブレンズ群ＳＧ１と、第１サブレンズ群ＳＧ１の縮小側に隣接するフォーカスレンズ群ＳＧＦとを有し、合焦時にフォーカスレンズ群ＳＧＦのみが光軸Ｚに沿って移動するものとする。【選択図】図１
2019060970.tif 000002
【特許請求の範囲】
【請求項１】
拡大側から順に、拡大側結像面と共役な位置に中間像を形成する第１結像光学系と、前記中間像を縮小側結像面に再結像させる第２結像光学系とからなり、
前記第１結像光学系は、最も拡大側から順に、少なくとも４枚の連続した負レンズと、拡大側から順に正レンズ、負レンズ、および正レンズからなる第１サブレンズ群と、該第１サブレンズ群の縮小側に隣接するフォーカスレンズ群とを有し、
合焦時に該フォーカスレンズ群のみが光軸に沿って移動する結像レンズ。
【請求項２】
前記フォーカスレンズ群の焦点距離をｆ４、
前記第１結像光学系の最も拡大側の負レンズから前記第１サブレンズ群の縮小側の正レンズまでの合成焦点距離をｆｎ１とした場合、
−４．８＜ｆ４／ｆｎ１＜−３  …（１）
で表される条件式（１）を満足する
請求項１記載の結像レンズ。
【請求項３】
前記第１結像光学系の焦点距離をｆａ、
前記第１結像光学系の最も拡大側の負レンズから前記フォーカスレンズ群の最も縮小側のレンズまでの合成焦点距離をｆｎ２とした場合、
０．１＜ｆａ／ｆｎ２＜０．２６  …（２）
で表される条件式（２）を満足する
請求項１または２記載の結像レンズ。
【請求項４】
前記第１サブレンズ群の縮小側の正レンズの縮小側の面における近軸軸上光線の高さをｈ２、
前記第１結像光学系の最も拡大側の負レンズの拡大側の面における近軸軸上光線の高さをｈ１とした場合、
４＜ｈ２／ｈ１＜７．５  …（３）
で表される条件式（３）を満足する
請求項１から３のいずれか１項記載の結像レンズ。
【請求項５】
前記第１サブレンズ群の縮小側の正レンズの焦点距離をｆ３、
前記第１サブレンズ群の拡大側の正レンズの焦点距離をｆ１とした場合、
１＜ｆ３／ｆ１＜１．４  …（４）
で表される条件式（４）を満足する
請求項１から４のいずれか１項記載の結像レンズ。
【請求項６】
前記第１結像光学系は、拡大側から順に、第１正レンズと、該第１正レンズよりもアッベ数が小さい第２負レンズと、該第２負レンズよりもアッベ数が大きい第３正レンズとが接合された接合レンズを有する
請求項１から５のいずれか１項記載の結像レンズ。
【請求項７】
前記第１正レンズのアッベ数をνｄｃ１、
前記第２負レンズのアッベ数をνｄｃ２とした場合、
２０＜νｄｃ１−νｄｃ２＜４０  …（５）
で表される条件式（５）を満足する
請求項６記載の結像レンズ。
【請求項８】
前記第２負レンズのアッベ数をνｄｃ２、
前記第３正レンズのアッベ数をνｄｃ３とした場合、
−７０＜νｄｃ２−νｄｃ３＜−５０  …（６）
で表される条件式（６）を満足する
請求項６または７記載の結像レンズ。
【請求項９】
無限遠物体合焦時の全系の焦点距離をｆ、
前記接合レンズの焦点距離をｆｃとした場合、
−０．１５＜｜ｆ｜／ｆｃ＜０  …（７）
で表される条件式（７）を満足する
請求項６から８のいずれか１項記載の結像レンズ。
【請求項１０】
無限遠物体合焦時の全系の焦点距離をｆ、
前記第１正レンズの焦点距離をｆｃ１とした場合、
０．０５＜｜ｆ｜／ｆｃ１＜０．３  …（８）
で表される条件式（８）を満足する
請求項６から９のいずれか１項記載の結像レンズ。
【請求項１１】
無限遠物体合焦時の全系の焦点距離をｆ、
前記第２負レンズの焦点距離をｆｃ２とした場合、
−０．５＜｜ｆ｜／ｆｃ２＜−０．１  …（９）
で表される条件式（９）を満足する
請求項６から１０のいずれか１項記載の結像レンズ。
【請求項１２】
無限遠物体合焦時の全系の焦点距離をｆ、
前記第３正レンズの焦点距離をｆｃ３とした場合、
０．１＜｜ｆ｜／ｆｃ３＜０．４  …（１０）
で表される条件式（１０）を満足する
請求項６から１１のいずれか１項記載の結像レンズ。
【請求項１３】
無限遠物体合焦時の全系の焦点距離をｆ、
前記第１結像光学系の焦点距離をｆａとした場合、
０．１＜｜ｆ｜／ｆａ＜０．７  …（１１）
で表される条件式（１１）を満足する
請求項１から１２のいずれか１項記載の結像レンズ。
【請求項１４】
無限遠物体合焦時の全系の焦点距離をｆ、
前記第２結像光学系の焦点距離をｆｂとした場合、
０．０３＜｜ｆ｜／ｆｂ＜０．２  …（１２）
で表される条件式（１２）を満足する
請求項１から１３のいずれか１項記載の結像レンズ。
【請求項１５】
前記フォーカスレンズ群は、１枚のレンズからなる
請求項１から１４のいずれか１項記載の結像レンズ。
【請求項１６】
−４．５＜ｆ４／ｆｎ１＜−３．３  …（１−１）
で表される条件式（１−１）を満足する
請求項２記載の結像レンズ。
【請求項１７】
０．１２＜ｆａ／ｆｎ２＜０．２４  …（２−１）
で表される条件式（２−１）を満足する
請求項３記載の結像レンズ。
【請求項１８】
４．５＜ｈ２／ｈ１＜７  …（３−１）
で表される条件式（３−１）を満足する
請求項４記載の結像レンズ。
【請求項１９】
光源と、該光源からの光が入射するライトバルブと、該ライトバルブにより光変調された光による光学像をスクリーン上に投写する結像レンズとしての請求項１から１８のいずれか１項記載の結像レンズとを備えた投写型表示装置。
【請求項２０】
請求項１から１８のいずれか１項記載の結像レンズを備えた撮像装置。
【発明の詳細な説明】
【技術分野】
【０００１】
本発明は、中間像を形成する結像レンズ、この結像レンズを備えた投写型表示装置、およびこの結像レンズを備えた撮像装置に関するものである。
【背景技術】
【０００２】
従来、液晶表示素子やＤＭＤ（Ｄｉｇｉｔａｌ  Ｍｉｃｒｏｍｉｒｒｏｒ  Ｄｅｖｉｃｅ：登録商標）表示素子等のライトバルブを用いた投写型表示装置が広く用いられている。特に、ライトバルブを３枚用いて赤・緑・青の３原色の照明光に各々対応させ、個々のライトバルブで変調された光をプリズム等で合成し、結像レンズを介してスクリーンに画像を表示する構成をとるものが広く利用されている。
【０００３】
このような、３枚のライトバルブからの各変調光を色合成光学系で合成して投写するタイプの投写型表示装置に使用される結像レンズでは、上述したように、色合成を行なうプリズム等を配置するため、また、熱的な問題を回避するため、長いバックフォーカスが必要となる。さらに、色合成プリズムは入射光の角度によって分光特性が変化するため、投写用レンズは縮小側を入射側としたときの入射瞳が十分遠方に位置するという特性、すなわち縮小側のテレセントリック性を持つことが必要となる。
【０００４】
また、この種の結像レンズには、ライトバルブの解像度に見合った良好な収差補正が求められている。さらに、設置性の観点から高い変倍機能を有していること、また、大型スクリーンに近距離から投影したいという要望に応えるため、より広画角であることが要求される。
【０００５】
このような要望に応えるべく、縮小側結像面と共役な位置に中間像を形成し、この中間像を拡大側結像面に再結像させる結像レンズが提案されている。（例えば、特許文献１〜５）
【先行技術文献】
【特許文献】
【０００６】
【特許文献１】特表２００６−５２３３１８号公報
【特許文献２】特許第５６２５９０４号明細書
【特許文献３】特開２０１６−１４３０３２号公報
【特許文献４】特開２０１６−１５６９８４号公報
【特許文献５】特開２０１６−１５６９８６号公報
【発明の概要】
【発明が解決しようとする課題】
【０００７】
しかしながら、特許文献１〜３のレンズは、画角が十分ではなく、また投写距離または物体距離が変動したときの収差の変動（収差の距離変動）も十分に良好ではない。特許文献４のレンズは、Ｆナンバーが十分に小さくなく、また収差の距離変動も十分に良好ではない。特許文献５のレンズは、収差の距離変動が十分に良好ではない。
【０００８】
本発明は、上記事情に鑑みなされたものであり、中間像を形成する方式の結像レンズにおいて、広角でありながら、Ｆナンバーが小さく、収差の距離変動が小さい結像レンズ、この結像レンズを備えた投写型表示装置、およびこの結像レンズを備えた撮像装置を提供することを目的とするものである。
【課題を解決するための手段】
【０００９】
本発明の結像レンズは、拡大側から順に、拡大側結像面と共役な位置に中間像を形成する第１結像光学系と、中間像を縮小側結像面に再結像させる第２結像光学系とからなり、第１結像光学系は、最も拡大側から順に、少なくとも４枚の連続した負レンズと、拡大側から順に正レンズ、負レンズ、および正レンズからなる第１サブレンズ群と、第１サブレンズ群の縮小側に隣接するフォーカスレンズ群とを有し、合焦時にフォーカスレンズ群のみが光軸に沿って移動する。
【００１０】
本発明の結像レンズにおいては、フォーカスレンズ群の焦点距離をｆ４、第１結像光学系の最も拡大側の負レンズから第１サブレンズ群の縮小側の正レンズまでの合成焦点距離をｆｎ１とした場合、条件式（１）を満足することが好ましく、条件式（１−１）を満足することがより好ましい。
−４．８＜ｆ４／ｆｎ１＜−３  …（１）
−４．５＜ｆ４／ｆｎ１＜−３．３  …（１−１）
【００１１】
また、第１結像光学系の焦点距離をｆａ、第１結像光学系の最も拡大側の負レンズからフォーカスレンズ群の最も縮小側のレンズまでの合成焦点距離をｆｎ２とした場合、条件式（２）を満足することが好ましく、条件式（２−１）を満足することがより好ましい。
０．１＜ｆａ／ｆｎ２＜０．２６  …（２）
０．１２＜ｆａ／ｆｎ２＜０．２４  …（２−１）
【００１２】
また、第１サブレンズ群の縮小側の正レンズの縮小側の面における近軸軸上光線の高さをｈ２、第１結像光学系の最も拡大側の負レンズの拡大側の面における近軸軸上光線の高さをｈ１とした場合、条件式（３）を満足することが好ましく、条件式（３−１）を満足することがより好ましい。なお、ｈ１、ｈ２については「光学技術シリーズ１  レンズ設計法」（松居吉哉著、共立出版）のｐｐ．１９、（２．１０）〜（２．１２）式による近軸光線追跡における定義に準ずる。
４＜ｈ２／ｈ１＜７．５  …（３）
４．５＜ｈ２／ｈ１＜７  …（３−１）
【００１３】
また、第１サブレンズ群の縮小側の正レンズの焦点距離をｆ３、第１サブレンズ群の拡大側の正レンズの焦点距離をｆ１とした場合、条件式（４）を満足することが好ましい。
１＜ｆ３／ｆ１＜１．４  …（４）
【００１４】
また、第１結像光学系は、拡大側から順に、第１正レンズと、第１正レンズよりもアッベ数が小さい第２負レンズと、第２負レンズよりもアッベ数が大きい第３正レンズとが接合された接合レンズを有することが好ましい。
【００１５】
第１結像光学系に上記接合レンズを設けた場合は、第１正レンズのアッベ数をνｄｃ１、第２負レンズのアッベ数をνｄｃ２とした場合、条件式（５）を満足することが好ましい。
２０＜νｄｃ１−νｄｃ２＜４０  …（５）
また、第１結像光学系に上記接合レンズを設けた場合は、第２負レンズのアッベ数をνｄｃ２、第３正レンズのアッベ数をνｄｃ３とした場合、条件式（６）を満足することが好ましい。
−７０＜νｄｃ２−νｄｃ３＜−５０  …（６）
【００１６】
また、第１結像光学系に上記接合レンズを設けた場合は、無限遠物体合焦時の全系の焦点距離をｆ、接合レンズの焦点距離をｆｃとした場合、条件式（７）を満足することが好ましい。
−０．１５＜｜ｆ｜／ｆｃ＜０  …（７）
【００１７】
また、第１結像光学系に上記接合レンズを設けた場合は、無限遠物体合焦時の全系の焦点距離をｆ、第１正レンズの焦点距離をｆｃ１とした場合、条件式（８）を満足することが好ましい。
０．０５＜｜ｆ｜／ｆｃ１＜０．３  …（８）
【００１８】
また、第１結像光学系に上記接合レンズを設けた場合は、無限遠物体合焦時の全系の焦点距離をｆ、第２負レンズの焦点距離をｆｃ２とした場合、条件式（９）を満足することが好ましい。
−０．５＜｜ｆ｜／ｆｃ２＜−０．１  …（９）
【００１９】
また、第１結像光学系に上記接合レンズを設けた場合は、無限遠物体合焦時の全系の焦点距離をｆ、第３正レンズの焦点距離をｆｃ３とした場合、条件式（１０）を満足することが好ましい。
０．１＜｜ｆ｜／ｆｃ３＜０．４  …（１０）
【００２０】
また、無限遠物体合焦時の全系の焦点距離をｆ、第１結像光学系の焦点距離をｆａとした場合、条件式（１１）を満足することが好ましい。
０．１＜｜ｆ｜／ｆａ＜０．７  …（１１）
【００２１】
また、無限遠物体合焦時の全系の焦点距離をｆ、第２結像光学系の焦点距離をｆｂとした場合、条件式（１２）を満足することが好ましい。
０．０３＜｜ｆ｜／ｆｂ＜０．２  …（１２）
【００２２】
また、フォーカスレンズ群は、１枚のレンズからなることが好ましい。
【００２３】
本発明の投写型表示装置は、光源と、光源からの光が入射するライトバルブと、ライトバルブにより光変調された光による光学像をスクリーン上に投写する結像レンズとしての上記記載の本発明の結像レンズとを備える。
【００２４】
本発明の撮像装置は、上記記載の本発明の結像レンズを備える。
【００２５】
なお、上記「〜からなる」とは、構成要素として挙げたもの以外に、実質的にパワーを有さないレンズ、絞りやマスクやカバーガラスやフィルタ等のレンズ以外の光学要素、レンズフランジ、レンズバレル、撮像素子、手ぶれ補正機構等の機構部分、等を含んでもよいことを意図するものである。
【００２６】
また、各条件式におけるアッベ数は、ｄ線を基準波長とする。
【００２７】
また、上記のレンズの面形状、屈折力の符号、および曲率半径は、非球面が含まれている場合は近軸領域で考えるものとする。
【発明の効果】
【００２８】
本発明の結像レンズは、拡大側から順に、拡大側結像面と共役な位置に中間像を形成する第１結像光学系と、中間像を縮小側結像面に再結像させる第２結像光学系とからなり、第１結像光学系は、最も拡大側から順に、少なくとも４枚の連続した負レンズと、拡大側から順に正レンズ、負レンズ、および正レンズからなる第１サブレンズ群と、第１サブレンズ群の縮小側に隣接するフォーカスレンズ群とを有し、合焦時にフォーカスレンズ群のみが光軸に沿って移動するようにしたので、広角でありながら、Ｆナンバーが小さく、収差の距離変動が小さい結像レンズ、この結像レンズを備えた投写型表示装置、およびこの結像レンズを備えた撮像装置を提供することができる。
【図面の簡単な説明】
【００２９】
【図１】本発明の一実施形態にかかる結像レンズ（実施例１と共通）のレンズ構成を示す断面図
【図２】本発明の実施例２の結像レンズのレンズ構成を示す断面図
【図３】本発明の実施例３の結像レンズのレンズ構成を示す断面図
【図４】本発明の実施例１の結像レンズの各収差図
【図５】本発明の実施例２の結像レンズの各収差図
【図６】本発明の実施例３の結像レンズの各収差図
【図７】本発明の一実施形態に係る投写型表示装置の概略構成図
【図８】本発明の別の実施形態に係る投写型表示装置の概略構成図
【図９】本発明のさらに別の実施形態に係る投写型表示装置の概略構成図
【図１０】本発明の一実施形態に係る撮像装置の前側の斜視図
【図１１】図１０に示す撮像装置の背面側の斜視図
【発明を実施するための形態】
【００３０】
以下、本発明の一実施形態について図面を参照して詳細に説明する。図１は本発明の一実施形態にかかる結像レンズのレンズ構成を示す断面図である。図１に示す構成例は、後述の実施例１の結像レンズの構成と共通である。図１においては、左側が拡大側、右側が縮小側である。また、図１は、無限遠物体に合焦した状態を示しており、軸上光束ａおよび最大画角の光束ｂを併せて記入している。
【００３１】
この結像レンズは、例えば投写型表示装置に搭載されて、ライトバルブに表示された画像情報をスクリーンへ投写するものとして使用可能である。図１では、投写型表示装置に搭載される場合を想定して、色合成部または照明光分離部に用いられるフィルタやプリズムなどを想定した光学部材ＰＰと、光学部材ＰＰの縮小側の面に位置するライトバルブの画像表示面Ｓｉｍも合わせて図示している。投写型表示装置においては、画像表示素子上の画像表示面Ｓｉｍで画像情報を与えられた光束が、光学部材ＰＰを介して、この結像レンズに入射され、この結像レンズにより不図示のスクリーン上に投写されるようになる。
【００３２】
図１に示す通り、本実施形態の結像レンズは、拡大側から順に、拡大側結像面と共役な位置に中間像を形成する第１結像光学系Ｇ１と、中間像を縮小側結像面（画像表示面Ｓｉｍ）に再結像させる第２結像光学系Ｇ２とから構成されている。
【００３３】
通常の中間像を形成しない方式の結像レンズは、焦点距離を短くして広角化をしようとすると、どうしても拡大側のレンズが大きくなりすぎてしまうが、本実施形態のように中間像を形成する方式の結像レンズでは、中間像よりも拡大側のレンズ系（図１に示す例では、第１結像光学系Ｇ１）のバックフォーカスを短縮できるとともに、拡大側のレンズ径を小さくすることが可能であり、焦点距離を短くして広角化するのに適している。
【００３４】
第１結像光学系Ｇ１は、最も拡大側から順に、少なくとも４枚の連続した負レンズと、拡大側から順に正レンズ、負レンズ、および正レンズからなる第１サブレンズ群ＳＧ１と、第１サブレンズ群ＳＧ１の縮小側に隣接するフォーカスレンズ群ＳＧＦとを有し、合焦時にフォーカスレンズ群ＳＧＦのみが光軸Ｚに沿って移動するように構成されている。
【００３５】
第１結像光学系Ｇ１において、最も拡大側に少なくとも４枚の連続した負レンズを配することによって、像面湾曲を抑えることができる。
【００３６】
また、第１結像光学系Ｇ１において、４枚の連続した負レンズの縮小側に、拡大側から順に正レンズ、負レンズ、および正レンズからなる第１サブレンズ群ＳＧ１と、フォーカスレンズ群ＳＧＦを連続して配することによって、フォーカスレンズ群ＳＧＦへの入射光の角度変化を抑えることができるため、収差を抑えることができる。また、フォーカスレンズ群ＳＧＦへの入射光の角度変化が抑えられることで感度が低下するため、製造性を向上させることができる。また、フォーカスレンズ群ＳＧＦの拡大側で収差を抑えるため、フォーカスレンズ群ＳＧＦを構成するレンズの枚数を抑えることができる。さらに、収差の距離変動を抑えることができる。
【００３７】
本実施形態の結像レンズにおいては、フォーカスレンズ群ＳＧＦの焦点距離をｆ４、第１結像光学系Ｇ１の最も拡大側の負レンズから第１サブレンズ群ＳＧ１の縮小側の正レンズまでの合成焦点距離をｆｎ１とした場合、条件式（１）を満足することが好ましい。  条件式（１）を満足することによって、距離変動によるブリージング（画角変動） を抑えることができる。なお、条件式（１−１）を満足するものとすれば、より良好な特性とすることができる。
−４．８＜ｆ４／ｆｎ１＜−３  …（１）
−４．５＜ｆ４／ｆｎ１＜−３．３  …（１−１）
【００３８】
また、第１結像光学系Ｇ１の焦点距離をｆａ、第１結像光学系Ｇ１の最も拡大側の負レンズからフォーカスレンズ群ＳＧＦの最も縮小側のレンズまでの合成焦点距離をｆｎ２とした場合、条件式（２）を満足することが好ましい。条件式（２）を満足することによって、距離変動によるブリージング（画角変動） を抑えることができる。なお、条件式（２−１）を満足するものとすれば、より良好な特性とすることができる。
０．１＜ｆａ／ｆｎ２＜０．２６  …（２）
０．１２＜ｆａ／ｆｎ２＜０．２４  …（２−１）
【００３９】
また、第１サブレンズ群ＳＧ１の縮小側の正レンズの縮小側の面における近軸軸上光線の高さをｈ２、第１結像光学系Ｇ１の最も拡大側の負レンズの拡大側の面における近軸軸上光線の高さをｈ１とした場合、条件式（３）を満足することが好ましい。条件式（３）を満足することによって、距離変動によるブリージング（画角変動） を抑えることができる。なお、条件式（３−１）を満足するものとすれば、より良好な特性とすることができる。
４＜ｈ２／ｈ１＜７．５  …（３）
４．５＜ｈ２／ｈ１＜７  …（３−１）
【００４０】
また、第１サブレンズ群ＳＧ１の縮小側の正レンズの焦点距離をｆ３、第１サブレンズ群ＳＧ１の拡大側の正レンズの焦点距離をｆ１とした場合、条件式（４）を満足することが好ましい。条件式（４）を満足することによって、フォーカスレンズ群ＳＧＦより拡大側のレンズについて屈折力のバランスを取ることができるため、球面収差と非点収差を抑えることができ、また合焦による収差の変動を抑えることができる。なお、条件式（４−１）を満足するものとすれば、より良好な特性とすることができる。
１＜ｆ３／ｆ１＜１．４  …（４）
１＜ｆ３／ｆ１＜１．３５  …（４−１）
【００４１】
また、第１結像光学系Ｇ１は、拡大側から順に、第１正レンズと、第１正レンズよりもアッベ数が小さい第２負レンズと、第２負レンズよりもアッベ数が大きい第３正レンズとが接合された接合レンズＣ１を有することが好ましい。このような構成とすることによって、高次収差を抑えるとともに、曲率半径の絶対値を小さくできるため、軸上色収差および倍率色収差を抑えることができる。
【００４２】
第１結像光学系Ｇ１に上記接合レンズＣ１を設けた場合は、第１正レンズのアッベ数をνｄｃ１、第２負レンズのアッベ数をνｄｃ２とした場合、条件式（５）を満足することが好ましい。条件式（５）を満足することによって、軸上色収差および倍率色収差を抑えることができる。なお、条件式（５−１）を満足するものとすれば、より良好な特性とすることができる。
２０＜νｄｃ１−νｄｃ２＜４０  …（５）
２５＜νｄｃ１−νｄｃ２＜３５  …（５−１）
【００４３】
また、第１結像光学系Ｇ１に上記接合レンズＣ１を設けた場合は、第２負レンズのアッベ数をνｄｃ２、第３正レンズのアッベ数をνｄｃ３とした場合、条件式（６）を満足することが好ましい。条件式（６）を満足することによって、軸上色収差および倍率色収差を抑えることができる。なお、条件式（６−１）を満足するものとすれば、より良好な特性とすることができる。
−７０＜νｄｃ２−νｄｃ３＜−５０  …（６）
−６５＜νｄｃ２−νｄｃ３＜−５５  …（６）
【００４４】
また、第１結像光学系Ｇ１に上記接合レンズＣ１を設けた場合は、無限遠物体合焦時の全系の焦点距離をｆ、接合レンズＣ１の焦点距離をｆｃとした場合、条件式（７）を満足することが好ましい。条件式（７）を満足することによって、軸上色収差および倍率色収差を抑えることができる。なお、条件式（７−１）を満足するものとすれば、より良好な特性とすることができる。
−０．１５＜｜ｆ｜／ｆｃ＜０  …（７）
−０．１＜｜ｆ｜／ｆｃ＜０  …（７−１）
【００４５】
また、第１結像光学系Ｇ１に上記接合レンズＣ１を設けた場合は、無限遠物体合焦時の全系の焦点距離をｆ、第１正レンズの焦点距離をｆｃ１とした場合、条件式（８）を満足することが好ましい。条件式（８）を満足することによって、軸上色収差および倍率色収差を抑えることができる。なお、条件式（８−１）を満足するものとすれば、より良好な特性とすることができる。
０．０５＜｜ｆ｜／ｆｃ１＜０．３  …（８）
０．１＜｜ｆ｜／ｆｃ１＜０．２５  …（８−１）
【００４６】
また、第１結像光学系Ｇ１に上記接合レンズＣ１を設けた場合は、無限遠物体合焦時の全系の焦点距離をｆ、第２負レンズの焦点距離をｆｃ２とした場合、条件式（９）を満足することが好ましい。条件式（９）を満足することによって、軸上色収差および倍率色収差を抑えることができる。なお、条件式（９−１）を満足するものとすれば、より良好な特性とすることができる。
−０．５＜｜ｆ｜／ｆｃ２＜−０．１  …（９）
−０．４５＜｜ｆ｜／ｆｃ２＜−０．１５  …（９−１）
【００４７】
また、第１結像光学系Ｇ１に上記接合レンズＣ１を設けた場合は、無限遠物体合焦時の全系の焦点距離をｆ、第３正レンズの焦点距離をｆｃ３とした場合、条件式（１０）を満足することが好ましい。条件式（１０）を満足することによって、軸上色収差および倍率色収差を抑えることができる。なお、条件式（１０−１）を満足するものとすれば、より良好な特性とすることができる。
０．１＜｜ｆ｜／ｆｃ３＜０．４  …（１０）
０．１５＜｜ｆ｜／ｆｃ３＜０．３５  …（１０−１）
【００４８】
また、無限遠物体合焦時の全系の焦点距離をｆ、第１結像光学系Ｇ１の焦点距離をｆａとした場合、条件式（１１）を満足することが好ましい。条件式（１１）の下限以下とならないようにすることによって、全長を抑えることができる。条件式（１１）の上限以上とならないようにすることによって、像面湾曲を抑えることができる。なお、条件式（１１−１）を満足するものとすれば、より良好な特性とすることができる。
０．１＜｜ｆ｜／ｆａ＜０．７  …（１１）
０．１５＜｜ｆ｜／ｆａ＜０．６５  …（１１−１）
【００４９】
また、無限遠物体合焦時の全系の焦点距離をｆ、第２結像光学系Ｇ２の焦点距離をｆｂとした場合、条件式（１２）を満足することが好ましい。条件式（１２）の下限以下とならないようにすることによって、全長を抑えることができる。条件式（１２）の上限以上とならないようにすることによって、像面湾曲を抑えることができる。なお、条件式（１２−１）を満足するものとすれば、より良好な特性とすることができる。
０．０３＜｜ｆ｜／ｆｂ＜０．２  …（１２）
０．０５＜｜ｆ｜／ｆｂ＜０．１８  …（１２−１）
【００５０】
また、フォーカスレンズ群ＳＧＦは、１枚のレンズからなることが好ましい。このような構成とすることによって、フォーカスレンズ群ＳＧＦの軽量化を図ることができる。
【００５１】
また、フォーカスレンズ群ＳＧＦの焦点距離をｆ４、第１サブレンズ群ＳＧ１の拡大側の正レンズの焦点距離をｆ１とした場合、条件式（１３）を満足することが好ましい。条件式（１３）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（１３−１）を満足するものとすれば、より良好な特性とすることができる。
１．７＜ｆ４／ｆ１＜３．５  …（１３）
２＜ｆ４／ｆ１＜３．２  …（１３−１）
【００５２】
また、第１結像光学系Ｇ１の焦点距離をｆａ、第１サブレンズ群ＳＧ１の拡大側の正レンズの焦点距離をｆ１とした場合、条件式（１４）を満足することが好ましい。条件式（１４）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（１４−１）を満足するものとすれば、より良好な特性とすることができる。
０＜ｆａ／ｆ１＜０．８  …（１４）
０．２＜ｆａ／ｆ１＜０．６  …（１４−１）
【００５３】
また、フォーカスレンズ群ＳＧＦの焦点距離をｆ４、第１サブレンズ群ＳＧ１の縮小側の正レンズの焦点距離をｆ３とした場合、条件式（１５）を満足することが好ましい。条件式（１５）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（１５−１）を満足するものとすれば、より良好な特性とすることができる。
１＜ｆ４／ｆ３＜３  …（１５）
１．５＜ｆ４／ｆ３＜２．５  …（１５−１）
【００５４】
また、第１結像光学系Ｇ１の焦点距離をｆａ、第１サブレンズ群ＳＧ１の縮小側の正レンズの焦点距離をｆ３とした場合、条件式（１６）を満足することが好ましい。条件式（１６）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（１６−１）を満足するものとすれば、より良好な特性とすることができる。
０＜ｆａ／ｆ３＜０．５  …（１６）
０．１＜ｆａ／ｆ３＜０．４  …（１６−１）
【００５５】
また、フォーカスレンズ群ＳＧＦの焦点距離をｆ４、第１サブレンズ群ＳＧ１の拡大側の正レンズと負レンズの合成焦点距離をｆ１２とした場合、条件式（１７）を満足することが好ましい。条件式（１７）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（１７−１）を満足するものとすれば、より良好な特性とすることができる。
０＜ｆ４／ｆ１２＜０．７５  …（１７）
０．０５＜ｆ４／ｆ１２＜０．７  …（１７−１）
【００５６】
また、第１結像光学系Ｇ１の焦点距離をｆａ、第１サブレンズ群ＳＧ１の拡大側の正レンズと負レンズの合成焦点距離をｆ１２とした場合、条件式（１８）を満足することが好ましい。条件式（１８）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（１８−１）を満足するものとすれば、より良好な特性とすることができる。
０＜ｆａ／ｆ１２＜０．１５  …（１８）
０＜ｆａ／ｆ１２＜０．１  …（１８−１）
【００５７】
また、フォーカスレンズ群ＳＧＦの焦点距離をｆ４、第１サブレンズ群ＳＧ１の負レンズと縮小側の正レンズの合成焦点距離をｆ２３とした場合、条件式（１９）を満足することが好ましい。条件式（１９）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（１９−１）を満足するものとすれば、より良好な特性とすることができる。
０．２＜ｆ４／ｆ２３＜４  …（１９）
０．２＜ｆ４／ｆ２３＜３．５  …（１９−１）
【００５８】
また、第１結像光学系Ｇ１の焦点距離をｆａ、第１サブレンズ群ＳＧ１の負レンズと縮小側の正レンズの合成焦点距離をｆ２３とした場合、条件式（２０）を満足することが好ましい。条件式（２０）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（２０−１）を満足するものとすれば、より良好な特性とすることができる。
０＜ｆａ／ｆ２３＜０．４  …（２０）
０＜ｆａ／ｆ２３＜０．３５  …（２０−１）
【００５９】
また、フォーカスレンズ群ＳＧＦの焦点距離をｆ４、第１サブレンズ群ＳＧ１の焦点距離をｆ１３とした場合、条件式（２１）を満足することが好ましい。条件式（２１）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（２１−１）を満足するものとすれば、より良好な特性とすることができる。
１．５＜ｆ４／ｆ１３＜３  …（２１）
１．７５＜ｆ４／ｆ１３＜２．７５  …（２１−１）
【００６０】
また、第１結像光学系Ｇ１の焦点距離をｆａ、第１サブレンズ群ＳＧ１の焦点距離をｆ１３とした場合、条件式（２２）を満足することが好ましい。条件式（２２）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（２２−１）を満足するものとすれば、より良好な特性とすることができる。
０．１５＜ｆａ／ｆ１３＜０．３  …（２２）
０．１８＜ｆａ／ｆ１３＜０．２５  …（２２−１）
【００６１】
また、無限遠物体合焦時の全系の焦点距離をｆ、第１サブレンズ群ＳＧ１の焦点距離をｆ１３とした場合、条件式（２３）を満足することが好ましい。条件式（２３）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（２３−１）を満足するものとすれば、より良好な特性とすることができる。
０＜｜ｆ｜／ｆ１３＜０．３  …（２３）
０．０５＜｜ｆ｜／ｆ１３＜０．２  …（２３−１）
【００６２】
また、無限遠物体合焦時の全系の焦点距離をｆ、第１サブレンズ群ＳＧ１の拡大側の正レンズと負レンズの合成焦点距離をｆ１２とした場合、条件式（２４）を満足することが好ましい。条件式（２４）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（２４−１）を満足するものとすれば、より良好な特性とすることができる。
０≦｜ｆ｜／ｆ１２＜０．１５  …（２４）
０≦｜ｆ｜／ｆ１２＜０．１  …（２４−１）
【００６３】
また、無限遠物体合焦時の全系の焦点距離をｆ、第１サブレンズ群ＳＧ１の負レンズと縮小側の正レンズの合成焦点距離をｆ２３とした場合、条件式（２５）を満足することが好ましい。条件式（２５）を満足することによって、フォーカスレンズ群ＳＧＦより拡大側のレンズについて屈折力のバランスを取ることができるため、歪曲収差および倍率色収差を抑え、合焦による収差の変動を抑えることができる。なお、条件式（２５−１）を満足するものとすれば、より良好な特性とすることができる。
０＜｜ｆ｜／ｆ２３＜０．３  …（２５）
０＜｜ｆ｜／ｆ２３＜０．２５  …（２５−１）
【００６４】
また、図１に示す例では、レンズ系と画像表示面Ｓｉｍとの間に光学部材ＰＰを配置した例を示したが、ローパスフィルタや特定の波長域をカットするような各種フィルタ等をレンズ系と画像表示面Ｓｉｍとの間に配置する代わりに、各レンズの間にこれらの各種フィルタを配置してもよく、あるいは、いずれかのレンズのレンズ面に、各種フィルタと同様の作用を有するコートを施してもよい。
【００６５】
次に、本発明の結像レンズの数値実施例について説明する。まず、実施例１の結像レンズについて説明する。実施例１の結像レンズのレンズ構成を示す断面図を図１に示す。図１および後述の実施例２〜３に対応した図２〜３においては、左側が拡大側、右側が縮小側である。また、図１〜３は、無限遠物体に合焦した状態を示しており、軸上光束ａおよび最大画角の光束ｂを併せて記入している。
【００６６】
実施例１の結像レンズは、拡大側から順に、レンズＬ１ａ〜レンズＬ１ｎの１４枚のレンズから構成される第１結像光学系Ｇ１と、レンズＬ２ａ〜レンズＬ２ｈの８枚のレンズから構成される第２結像光学系Ｇ２とから構成されている。また、フォーカスレンズ群ＳＧＦは、１枚のレンズＬ１ｈから構成されている。
【００６７】
実施例１の結像レンズの基本レンズデータを表１に、諸元に関するデータを表２に、非球面係数に関するデータを表３に示す。以下では、表中の記号の意味について、実施例１のものを例にとり説明するが、実施例２〜３についても基本的に同様である。
【００６８】
表１のレンズデータにおいて、面番号の欄には最も拡大側の構成要素の面を１番目として縮小側に向かうに従い順次増加する面番号を示し、曲率半径の欄には各面の曲率半径を示し、面間隔の欄には各面とその次の面との光軸Ｚ上の間隔を示す。また、ｎの欄には各光学要素のｄ線（波長５８７．６ｎｍ（ナノメートル））における屈折率を示し、νの欄には各光学要素のｄ線（波長５８７．６ｎｍ（ナノメートル））におけるアッベ数を示す。また、曲率半径の符号は、面形状が拡大側に凸の場合を正、縮小側に凸の場合を負としている。基本レンズデータには、光学部材ＰＰも含めて示している。
【００６９】
表２の諸元に関するデータに、焦点距離ｆ、ＦナンバーＦＮｏ．、全画角２ω（°）の値を示す。
【００７０】
表１のレンズデータでは、非球面の面番号に＊印を付しており、非球面の曲率半径として近軸の曲率半径の数値を示している。表３の非球面係数に関するデータには、非球面の面番号と、これら非球面に関する非球面係数を示す。表３の非球面係数の数値の「Ｅ±ｎ」（ｎ：整数）は「×１０±ｎ」を意味する。非球面係数は、下記式で表される非球面式における各係数ＫＡ、Ａｍの値である。
Ｚｄ＝Ｃ・ｈ２／｛１＋（１−ＫＡ・Ｃ２・ｈ２）１/２｝＋ΣＡｍ・ｈｍ
ただし、
Ｚｄ：非球面深さ（高さｈの非球面上の点から、非球面頂点が接する光軸に垂直な平面に下ろした垂線の長さ）
ｈ：高さ（光軸からの距離）
Ｃ：近軸曲率半径の逆数
ＫＡ、Ａｍ：非球面係数
であり、非球面深さＺｄにおけるΣはｍに関する総和を意味する。
【００７１】
基本レンズデータ、諸元に関するデータ、および変化する面間隔に関するデータにおいて、角度の単位としては度を用い、長さの単位としてはｍｍ（ミリメートル）を用いているが、光学系は比例拡大又は比例縮小しても使用可能なため他の適当な単位を用いることもできる。
【００７２】
【表１】
2019060970.tif 000003
【００７３】
【表２】
2019060970.tif 000004
【００７４】
【表３】
2019060970.tif 000005
【００７５】
実施例１の結像レンズの各収差図を図４に示す。なお、図４中の上段左側から順に最も拡大側の面から１．１３ｍ（メートル）の距離の物体に合焦時の球面収差、非点収差、歪曲収差、および倍率色収差を示し、図４中の下段左側から順に最も拡大側の面から３．２ｍ（メートル）の距離の物体に合焦時の球面収差、非点収差、歪曲収差、および倍率色収差を示す。球面収差、非点収差、および歪曲収差を表す各収差図には、ｄ線（波長５８７．６ｎｍ（ナノメートル））を基準波長とした収差を示す。球面収差図にはｄ線（波長５８７．６ｎｍ（ナノメートル））、Ｃ線（波長６５６．３ｎｍ（ナノメートル））、およびＦ線（波長４８６．１ｎｍ（ナノメートル））についての収差をそれぞれ実線、長破線、および短破線で示す。非点収差図にはサジタル方向およびタンジェンシャル方向の収差をそれぞれ実線および短破線で示す。倍率色収差図にはＣ線（波長６５６．３ｎｍ（ナノメートル））およびＦ線（波長４８６．１ｎｍ（ナノメートル））についての収差をそれぞれ長破線および短破線で示す。なお、球面収差図のＦＮｏ．はＦナンバー、その他の収差図のωは半画角を意味する。
【００７６】
次に、実施例２の結像レンズについて説明する。実施例２の結像レンズのレンズ構成を示す断面図を図２に示す。実施例２の結像レンズの群構成は、実施例１の結像レンズと同じである。また、実施例２の結像レンズの基本レンズデータを表４に、諸元に関するデータを表５に、非球面係数に関するデータを表６に、各収差図を図５に示す。
【００７７】
【表４】
2019060970.tif 000006
【００７８】
【表５】
2019060970.tif 000007
【００７９】
【表６】
2019060970.tif 000008
【００８０】
次に、実施例３の結像レンズについて説明する。実施例３の結像レンズのレンズ構成を示す断面図を図３に示す。実施例３の結像レンズの群構成は、実施例１の結像レンズと同じである。また、実施例３の結像レンズの基本レンズデータを表７に、諸元に関するデータを表８に、非球面係数に関するデータを表９に、各収差図を図６に示す。
【００８１】
【表７】
2019060970.tif 000009
【００８２】
【表８】
2019060970.tif 000010
【００８３】
【表９】
2019060970.tif 000011
【００８４】
実施例１〜３の結像レンズの条件式（１）〜（２５）に対応する値を表１０に示す。なお、全実施例ともｄ線を基準波長としており、下記の表１０に示す値はこの基準波長におけるものである。
【００８５】
【表１０】
2019060970.tif 000012
【００８６】
以上のデータから、実施例１〜３の結像レンズは全て、条件式（１）〜（２５）を満たしており、全画角が１２０°以上と広角でありながら、Ｆナンバーが小さく、収差の距離変動が小さい結像レンズであることが分かる。
【００８７】
次に、本発明の実施形態に係る投写型表示装置について説明する。図７は、本発明の一実施形態に係る投写型表示装置の概略構成図である。図７に示す投写型表示装置１００は、本発明の実施形態に係る結像レンズ１０と、光源１５と、各色光に対応したライトバルブとしての透過型表示素子１１ａ〜１１ｃと、色分解のためのダイクロイックミラー１２、１３と、色合成のためのクロスダイクロイックプリズム１４と、コンデンサレンズ１６ａ〜１６ｃと、光路を偏向するための全反射ミラー１８ａ〜１８ｃとを有する。なお、図７では、結像レンズ１０は概略的に図示している。また、光源１５とダイクロイックミラー１２の間にはインテグレーターが配されているが、図７ではその図示を省略している。
【００８８】
光源１５からの白色光は、ダイクロイックミラー１２、１３で３つの色光光束（Ｇ光、Ｂ光、Ｒ光）に分解された後、それぞれコンデンサレンズ１６ａ〜１６ｃを経て各色光光束にそれぞれ対応する透過型表示素子１１ａ〜１１ｃに入射して光変調され、クロスダイクロイックプリズム１４により色合成された後、結像レンズ１０に入射する。結像レンズ１０は、透過型表示素子１１ａ〜１１ｃにより光変調された光による光学像をスクリーン１０５上に投写する。
【００８９】
図８は、本発明の別の実施形態に係る投写型表示装置の概略構成図である。図８に示す投写型表示装置２００は、本発明の実施形態に係る結像レンズ２１０と、光源２１５と、各色光に対応したライトバルブとしてのＤＭＤ素子２１ａ〜２１ｃと、色分解および色合成のためのＴＩＲ（Ｔｏｔａｌ  Ｉｎｔｅｒｎａｌ  Ｒｅｆｌｅｃｔｉｏｎ）プリズム２４ａ〜２４ｃと、照明光と投写光を分離する偏光分離プリズム２５とを有する。なお、図８では結像レンズ２１０を概略的に図示している。また、光源２１５と偏光分離プリズム２５の間にはインテグレーターが配されているが、図８ではその図示を省略している。
【００９０】
光源２１５からの白色光は、偏光分離プリズム２５内部の反射面で反射された後、ＴＩＲプリズム２４ａ〜２４ｃにより３つの色光光束（Ｇ光、Ｂ光、Ｒ光）に分解される。分解後の各色光光束はそれぞれ対応するＤＭＤ素子２１ａ〜２１ｃに入射して光変調され、再びＴＩＲプリズム２４ａ〜２４ｃを逆向きに進行して色合成された後、偏光分離プリズム２５を透過して、結像レンズ２１０に入射する。結像レンズ２１０は、ＤＭＤ素子２１ａ〜２１ｃにより光変調された光による光学像をスクリーン２０５上に投写する。
【００９１】
図９は、本発明のさらに別の実施形態に係る投写型表示装置の概略構成図である。図９に示す投写型表示装置３００は、本発明の実施形態に係る結像レンズ３１０と、光源３１５と、各色光に対応したライトバルブとしての反射型表示素子３１ａ〜３１ｃと、色分離のためのダイクロイックミラー３２、３３と、色合成のためのクロスダイクロイックプリズム３４と、光路偏向のための全反射ミラー３８と、偏光分離プリズム３５ａ〜３５ｃとを有する。なお、図９では、結像レンズ３１０は概略的に図示している。また、光源３１５とダイクロイックミラー３２の間にはインテグレーターが配されているが、図９ではその図示を省略している。
【００９２】
光源３１５からの白色光はダイクロイックミラー３２、３３により３つの色光光束（Ｇ光、Ｂ光、Ｒ光）に分解される。分解後の各色光光束はそれぞれ偏光分離プリズム３５ａ〜３５ｃを経て、各色光光束それぞれに対応する反射型表示素子３１ａ〜３１ｃに入射して光変調され、クロスダイクロイックプリズム３４により色合成された後、結像レンズ３１０に入射する。結像レンズ３１０は、反射型表示素子３１ａ〜３１ｃにより光変調された光による光学像をスクリーン３０５上に投写する。
【００９３】
図１０、図１１は、本発明の一実施形態に係る撮像装置であるカメラ４００の外観図である。図１０は、カメラ４００を前側から見た斜視図を示し、図１１は、カメラ４００を背面側から見た斜視図を示す。カメラ４００は、交換レンズ４８が取り外し自在に装着される、レフレックスファインダーを持たない一眼形式のデジタルカメラである。交換レンズ４８は、本発明の実施形態にかかる光学系である結像レンズ４９を鏡筒内に収納したものである。
【００９４】
このカメラ４００はカメラボディ４１を備え、カメラボディ４１の上面にはシャッターボタン４２と電源ボタン４３とが設けられている。またカメラボディ４１の背面には、操作部４４、４５と表示部４６とが設けられている。表示部４６は、撮像された画像や、撮像される前の画角内にある画像を表示するためのものである。
【００９５】
カメラボディ４１の前面中央部には、撮影対象からの光が入射する撮影開口が設けられ、その撮影開口に対応する位置にマウント４７が設けられ、マウント４７を介して交換レンズ４８がカメラボディ４１に装着されるようになっている。
【００９６】
カメラボディ４１内には、交換レンズ４８によって形成された被写体像に応じた撮像信号を出力するＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子（図示せず）、その撮像素子から出力された撮像信号を処理して画像を生成する信号処理回路、およびその生成された画像を記録するための記録媒体などが設けられている。このカメラ４００では、シャッターボタン４２を押すことにより静止画または動画の撮影が可能であり、この撮影で得られた画像データが上記記録媒体に記録される。
【００９７】
以上、実施形態および実施例を挙げて本発明を説明したが、本発明の結像レンズは、上記実施例のものに限られるものではなく種々の態様の変更が可能であり、例えば各レンズの曲率半径、面間隔、屈折率、およびアッベ数を適宜変更することが可能である。
【００９８】
また、本発明の投写型表示装置も、上記構成のものに限られるものではなく、例えば、用いられるライトバルブおよび光束分離または光束合成に用いられる光学部材は、上記構成に限定されず、種々の態様の変更が可能である。
【００９９】
また、本発明の撮像装置も、上記構成のものに限られるものではなく、例えば、一眼レフ形式のカメラや、フィルムカメラ、およびビデオカメラなどに適用することも可能である。
【符号の説明】
【０１００】
１０、２１０、３１０    結像レンズ
１１ａ〜１１ｃ    透過型表示素子
１２、１３、３２、３３    ダイクロイックミラー
１４、３４    クロスダイクロイックプリズム
１５、２１５、３１５    光源
１６ａ〜１６ｃ    コンデンサレンズ
１８ａ〜１８ｃ、３８    全反射ミラー
２１ａ〜２１ｃ    ＤＭＤ素子
２４ａ〜２４ｃ    ＴＩＲプリズム
２５、３５ａ〜３５ｃ    偏光分離プリズム
３１ａ〜３１ｃ    反射型表示素子
４１    カメラボディ
４２    シャッターボタン
４３    電源ボタン
４４、４５    操作部
４６    表示部
４７    マウント
４８    交換レンズ
４９    結像レンズ
１００、２００、３００    投写型表示装置
１０５、２０５、３０５    スクリーン
４００    カメラ
Ｃ１    接合レンズ
Ｇ１    第１結像光学系
Ｇ２    第２結像光学系
Ｌ１ａ〜Ｌ２ｈ    レンズ
ＰＰ    光学部材
ＳＧ１    第１サブレンズ群
ＳＧＦ    フォーカスレンズ群
Ｓｉｍ    画像表示面
ａ    軸上光束
ｂ    最大画角の光束
Ｚ    光軸
【図１】
2019060970.tif 000013
【図２】
2019060970.tif 000014
【図３】
2019060970.tif 000015
【図４】
2019060970.tif 000016
【図５】
2019060970.tif 000017
【図６】
2019060970.tif 000018
【図７】
2019060970.tif 000019
【図８】
2019060970.tif 000020
【図９】
2019060970.tif 000021
【図１０】
2019060970.tif 000022
【図１１】
2019060970.tif 000023